(57)【特許請求の範囲】
【請求項１】
エンジン、少なくとも二つのモータ／ゼネレータが動力源として備えられ、前記モータ／ゼネレータに電力を供給するバッテリーを備えるハイブリッド自動車において、
前記エンジンの運転点の最適トルク及び定常状態の最大トルク、並びに、前記モータ／ゼネレータの運転点の最適トルク及び定常状態の最大トルクを入力するステップと、
前記エンジン及び前記モータ／ゼネレータの低減トルク比率をそれぞれ計算するステップと、
前記エンジン及び前記モータ／ゼネレータの低減トルク比率を用いて、低減ファクターを設定するステップと、
前記低減ファクターと、前記エンジン及び前記モータ／ゼネレータの最適トルクを用いてそれぞれの目標トルクを計算するステップと、
前記それぞれの目標トルクに応じて前記エンジン及びモータ／ゼネレータのトルクを制御するステップと、
を含み、
入力された前記最適トルク及び前記最大トルクを用いて、各動力源の低減トルク比率を計算し、前記低減トルク比率が最も小さな動力源の前記低減トルク比率を導き出し、
前記低減ファクターは、前記低減トルク比率が最も小さな動力源の前記低減トルク比率であり、
前記低減トルク比率が最も小さな動力源の低減トルク比率に前記全ての動力源の前記最適トルクを掛けて目標トルクを求めること、
を特徴とするハイブリッド自動車のトルク制御方法。
【請求項２】
前記低減ファクターは、前記エンジン及び前記モータ／ゼネレータの低減トルク比率のうち最小値として決定することを特徴とする請求項１に記載のハイブリッド自動車のトルク制御方法。
【請求項３】
前記バッテリーのパワーは、前記エンジン及び前記モータ／ゼネレータの低減トルク比率のうち最小値に基づいて設定することを特徴とする請求項１に記載のハイブリッド自動車のトルク制御方法。
【請求項４】
前記エンジン及び前記モータ／ゼネレータの目標トルクは、前記エンジン及び前記モータ／ゼネレータの運転点の最適トルクと前記低減ファクターとを乗算して決定することを特徴とする請求項１に記載のハイブリッド自動車のトルク制御方法。
【請求項５】
ホイールを駆動する動力源として作動するエンジンと、
前記エンジンに動力を伝達して前記エンジンを始動させるか、あるいは、前記ホイールを駆動する動力源として作動する第１モータ／ゼネレータと、
前記ホイールを駆動する動力源として作動する第２モータ／ゼネレータと、
前記第１モータ／ゼネレータ及び前記第２モータ／ゼネレータに電力を供給するバッテリーと、
前記エンジン、前記第１モータ／ゼネレータ及び前記第２モータ／ゼネレータのトルクを制御する制御部と、
を備え、
前記制御部は、前記エンジンの運転点の最適トルク及び定常状態の最大トルク、並びに、前記第１及び第２モータ／ゼネレータの運転点の最適トルク及び定常状態の最大トルクからそれぞれの低減トルク比率を計算し、
前記それぞれの低減トルク比率から低減ファクターを計算し、
前記エンジンの最適トルク、前記第１及び第２モータ／ゼネレータの最適トルク及び前記低減ファクターからそれぞれの目標トルクを計算し、
前記それぞれの目標トルクに応じて前記エンジンと、前記第１及び第２モータ／ゼネレータを制御し、
前記低減ファクターは、前記低減トルク比率が最も小さな動力源の前記低減トルク比率であり、
前記低減トルク比率が最も小さな動力源の低減トルク比率に前記全ての動力源の前記最適トルクを掛けて目標トルクを求めること、
を特徴とするハイブリッド自動車のトルク制御システム。
【請求項６】
前記低減ファクターは、前記エンジン及び前記モータ／ゼネレータの低減トルク比率のうち最小値として決定することを特徴とする請求項５に記載のハイブリッド自動車のトルク制御システム。
【請求項７】
前記エンジン及び前記モータ／ゼネレータの目標トルクは、前記エンジン及び前記モータ／ゼネレータの運転点の最適トルクに前記低減ファクターを乗算して決定することを特徴とする請求項５に記載のハイブリッド自動車のトルク制御システム。
【請求項８】
前記バッテリーのパワーは、前記エンジン及び前記モータ／ゼネレータの低減トルク比率のうち最小値に基づいて決定することを特徴とする請求項５に記載のハイブリッド自動車のトルク制御システム。
【発明の詳細な説明】
【技術分野】
【０００１】
本発明はハイブリッド自動車のトルク制御方法及びそのシステムに係り、より詳しくは、モータ／ゼネレータ及びエンジンのトルク制御を単純化することのできるハイブリッド自動車のトルク制御方法及びそのシステムに関する。
【背景技術】
【０００２】
一般に、環境にやさしい自動車とは、既存の内燃機関に比べて相対的に効率が高く、しかも、排ガスが少ない新技術自動車のことをいう。この種の環境にやさしい自動車には、ハイブリッド自動車をはじめとして、プラグインハイブリッド自動車、クリーンディーゼル自動車、燃料電池自動車及び電気自動車などが含まれる。
【０００３】
ここで、ハイブリッド自動車（Ｈｙｂｒｉｄ  Ｅｌｅｃｔｒｉｃ  Ｖｅｈｉｃｌｅ）は、内燃機関自動車及び電気自動車（Ｅｌｅｃｔｒｉｃ  Ｖｅｈｉｃｌｅ）の短所を補完するために、内燃機関自動車及び電気自動車の機能を併せ持つ車両である。このため、ハイブリッド自動車の運転者は、必要に応じて、内燃機関駆動モードと電気モーター／ゼネレータ駆動モードまたはこれらの複合モードを選択することができる。
【０００４】
また、ハイブリッド自動車は、車両の走行状況に対応してエンジン及びモータ／ゼネレータが最大の効率を発揮するように制御され、制動時及び減速時に運動エネルギーを電気エネルギーとして回収することにより、既存の内燃機関車両に比べて燃費向上を図ることができる。さらに、市内区間でエンジン始動をオフにした状態で走行することができて、無公害車両として使用できる。
【０００５】
かようなハイブリッド自動車は、バッテリーの管理と充電状態の予測、電流電圧の監視などを行ってバッテリーを最適な条件に維持するＢＭＳ（Ｂａｔｔｅｒｙ  Ｍａｎａｇｅｍｅｎｔ  Ｓｙｓｔｅｍ）と、エンジンを作動させ、ＥＴＣ（ｅｌｅｃｔｒｉｃ  ｔｈｒｏｔｔｌｅ  ｃｏｎｔｒｏｌｌｅｒ）を用いて空気吸入量を調節してエンジン出力を制御するＥＣＵ（ｅｎｇｉｎｅ  ｃｏｎｔｒｏｌ  ｕｎｉｔ）と、モータ／ゼネレータのトルク命令の出力、発電及びバッテリーが最適な充電状態を維持するように制御するＭＣＵ（Ｍｏｔｏｒ  Ｃｏｎｔｒｏｌ  Ｕｎｉｔ）と、動力源のトルクに関する出力情報を伝達して変速比を制御し、回生制動量を決定するＴＣＵ（Ｔｏｒｑｕｅ  Ｃｏｎｔｒｏｌ  Ｕｎｉｔ）及び上記の各制御ユニットと相互有機的に通信を行うことにより全般的な動作を総括的に制御するＨＣＵ（Ｈｙｂｒｉｄ  Ｃｏｎｔｒｏｌ  Ｕｎｉｔ）を備える。
【０００６】
一方、ハイブリッド自動車のトルク制御において、最適な運転点における作動のためのエンジン及びモータ／ゼネレータの制限は変化することがある。（例えば特許文献１参照。）
【０００７】
例えば、バッテリーのパワー制限（ｃｏｎｓｔｒａｉｎｔ）は、ＳＯＣ（ｓｔａｔｅ  ｏｆ  ｃｈａｒｇｅ）、バッテリー温度、バッテリーの電圧変化によって変化する。
【０００８】
エンジンのトルク制限は、大気温、大気圧、エンジン故障状況などに応じて変化する。
【０００９】
モータ／ゼネレータトルク制限は、モータ／ゼネレータ温度、インバータ入力部電圧、モータ／ゼネレータ故障状況などに応じて変化する。
【００１０】
エンジンとモータ／ゼネレータの速度制限は、エンジン、モータ／ゼネレータの故障状況などに応じて変化する。
【００１１】
従来のハイブリッド車両のトルク制御方法においては、エンジン及びモータ／ゼネレータの制限が変化する条件に応じて最適化の補正が個別的に行われるため、制御方法が複雑になる虞がある。
【００１２】
また、最適化マップをそれぞれの状況に応じて入力して、制御器のメモリが過剰に使用されるため、前記制限の変化による適切な最適化補正が行われない懸念もある。
【００１３】
ひいては、バッテリーの管理が別々に行われる場合に、バッテリーの管理性能が弱化することも懸念される。
【先行技術文献】
【特許文献】
【００１４】
【特許文献１】特開２００６−２５６６０７号公報
【発明の概要】
【発明が解決しようとする課題】
【００１５】
本発明は前記のような点に鑑みてなされたものであって、本発明の目的は、モータ／ゼネレータ及びエンジンのトルク制御を単純化することのできるハイブリッド自動車のトルク制御方法及びそのシステムを提供することにある。
【００１６】
また、本発明の他の目的は、モータ／ゼネレータ及びエンジンのトルクを制御することにより、バッテリーの制御が同時に行われるハイブリッド自動車のトルク制御方法及びそのシステムを提供することにある。
【課題を解決するための手段】
【００１７】
上記の目的を達成するための本発明のハイブリッド自動車のトルク制御方法は、
エンジン、少なくとも二つのモータ／ゼネレータが動力源として備えられ、前記モータ／ゼネレータに電力を供給するバッテリーを備えるハイブリッド自動車において、
前記エンジンの運転点の最適トルク及び定常状態の最大トルク、並びに、前記モータ／ゼネレータの運転点の最適トルク及び定常状態の最大トルクを入力するステップと、
前記エンジン及び前記モータ／ゼネレータの低減トルク比率をそれぞれ計算するステップと、
前記エンジン及び前記モータ／ゼネレータの低減トルク比率を用いて、低減ファクターを設定するステップと、
前記低減ファクターと、前記エンジン及び前記モータ／ゼネレータの最適トルクを用いてそれぞれの目標トルクを計算するステップと、
前記それぞれの目標トルクに応じて前記エンジン及びモータ／ゼネレータのトルクを制御するステップと、
を含み、
入力された前記最適トルク及び前記最大トルクを用いて、各動力源の低減トルク比率を計算し、前記低減トルク比率が最も小さな動力源の前記低減トルク比率を導き出し、
前記低減ファクターは、前記低減トルク比率が最も小さな動力源の前記低減トルク比率であり、
前記低減トルク比率が最も小さな動力源の低減トルク比率に前記全ての動力源の前記最適トルクを掛けて目標トルクを求めること、
を特徴とする。
【００１８】
前記低減ファクターは、前記エンジン及び前記モータ／ゼネレータの低減トルク比率のうち最小値として決定することを特徴とする。
【００１９】
前記バッテリーのパワーは、前記エンジン及び前記モータ／ゼネレータの低減トルク比率のうち最小値に基づいて設定することを特徴とする。
【００２０】
前記エンジン及び前記モータ／ゼネレータの目標トルクは、前記エンジン及び前記モータ／ゼネレータの運転点の最適トルクと前記低減ファクターとを乗算して決定することを特徴とする。
【００２１】
また、本発明は、ホイールを駆動する動力源として作動するエンジンと、
前記エンジンに動力を伝達して前記エンジンを始動させるか、あるいは、前記ホイールを駆動する動力源として作動する第１モータ／ゼネレータと、
前記ホイールを駆動する動力源として作動する第２モータ／ゼネレータと、
前記第１モータ／ゼネレータ及び前記第２モータ／ゼネレータに電力を供給するバッテリーと、
前記エンジン、前記第１モータ／ゼネレータ及び前記第２モータ／ゼネレータのトルクを制御する制御部と、
を備え、
前記制御部は、前記エンジンの運転点の最適トルク及び定常状態の最大トルク、並びに、前記第１及び第２モータ／ゼネレータの運転点の最適トルク及び定常状態の最大トルクからそれぞれの低減トルク比率を計算し、
前記それぞれの低減トルク比率から低減ファクターを計算し、
前記エンジンの最適トルク、前記第１及び第２モータ／ゼネレータの最適トルク及び前記低減ファクターからそれぞれの目標トルクを計算し、
前記それぞれの目標トルクに応じて前記エンジンと、前記第１及び第２モータ／ゼネレータを制御し、
前記低減ファクターは、前記低減トルク比率が最も小さな動力源の前記低減トルク比率であり、
前記低減トルク比率が最も小さな動力源の低減トルク比率に前記全ての動力源の前記最適トルクを掛けて目標トルクを求めること、
を特徴とする。
【００２２】
前記低減ファクターは、前記エンジン及び前記モータ／ゼネレータの低減トルク比率のうち最小値として決定することを特徴とする。
【００２３】
前記エンジン及び前記モータ／ゼネレータの目標トルクは、前記エンジン及び前記モータ／ゼネレータの運転点の最適トルクに前記低減ファクターを乗算して決定することを特徴とする。
【００２４】
前記バッテリーのパワーは、前記エンジン及び前記モータ／ゼネレータの低減トルク比率のうち最小値に基づいて決定することを特徴とする。
【発明の効果】
【００２５】
本発明の実施形態によれば、一つのトルク低減比率により全ての動力源のトルクを低減することにより、モータ／ゼネレータ及びエンジンのトルク制御を単純化することができる。
【００２６】
また、前記トルク低減比率によってバッテリーのパワーを制御して安定した速度制御及びバッテリーの充放電制御が可能になる。
【図面の簡単な説明】
【００２７】
【図１】本発明の実施形態によるハイブリッド自動車のトルク制御方法が適用できるハイブリッドシステムの構成図。
【図２】本発明の実施形態によるハイブリッド自動車のトルク制御方法のフローチャート。
【発明を実施するための形態】
【００２８】
以下、添付図面に基づき、本発明の好適な実施形態について詳述する。
【００２９】
図１は、本発明の実施形態によるハイブリッド自動車のトルク制御方法を適用するハイブリッドシステムの構成図である。
【００３０】
図１に示すように、本発明の実施形態によるハイブリッド自動車のトルク制御方法を適用するシステムは、動力伝達装置１と、制御部９０と、を備える。
【００３１】
前記動力伝達装置１は、エンジン１０と、第１モータ／ゼネレータ２０と、第２モータ／ゼネレータ３０と、遊星ギヤセット４０及びバッテリー６０を備える。前記動力伝達装置１のエンジン１０と、第１モータ／ゼネレータ２０及び第２モータ／ゼネレータ３０は、それぞれ別々にまたは一緒に動力源として用いられる。
【００３２】
前記エンジン１０の駆動軸は、遊星ギヤセット４０のキャリア（Ｃａｒｒｉｅｒ）と連結される。
【００３３】
第１モータ／ゼネレータ２０は、エンジン１０に動力を伝達してエンジン１０を始動する始動モータ／ゼネレータであってもよい。また、第１モータ／ゼネレータ２０の駆動軸は、遊星ギヤセット４０のサンギヤ（Ｓｕｎ  ｇｅａｒ）と連結する。
【００３４】
第２モータ／ゼネレータ３０は、ホイール５０を駆動する駆動モーター／ゼネレータであってもよい。また、第２モータ／ゼネレータ３０とホイール５０との間には減速ギヤ８０を介装して第２モータ／ゼネレータ３０の回転をホイール５０に伝達してもよい。さらに、前記第２モータ／ゼネレータ３０の駆動軸は、前記遊星ギヤセット４０のリングギヤ（Ｒｉｎｇ  ｇｅａｒ）と連結する。
【００３５】
第２モータ／ゼネレータ３０を停止して第１モータ／ゼネレータ２０を駆動すると、遊星ギヤセット４０の前記リングギヤが停止し、前記サンギヤが回転するに伴い、前記キャリアの回転力によってエンジン１０が始動する。
【００３６】
エンジン１０が始動した後、エンジン１０の回転速度と第１モータ／ゼネレータ２０の回転速度に応じて前記リングギヤの回転速度が決定され、前記リングギヤの回転は第２モータ／ゼネレータの駆動軸に伝達される。
【００３７】
上記３つの動力源１０、２０、３０の回転によりホイール５０に伝達される出力値が決定する動力伝達装置１の構成は、当該技術分野において通常の知識を有する者（以下、当業者）にとって自明であるため、それ以上の詳細な説明は省略する。
【００３８】
また、図１には一つの遊星ギヤセット４０を示しているが、これに限定されるものではなく、動力伝達装置１には少なくとも１以上の遊星ギヤセットが適用可能である。
【００３９】
バッテリー６０は、第１モータ／ゼネレータ２０及び第２モータ／ゼネレータ３０に電力を供給する。即ち、バッテリー６０において発生した電力は、インバータ７０を経て第１モータ／ゼネレータ２０及び第２モータ／ゼネレータ３０に供給される。
【００４０】
ここで、インバータ７０は、直流電力を交流電力に変換する装置であり、ハイブリッド自動車の動力伝達装置１における機能は当業者にとって自明であるため、それ以上の説明は省略する。
【００４１】
制御部９０は、エンジン１０と、第１モータ／ゼネレータ２０及び第２モータ／ゼネレータ３０のトルクを制御し、バッテリー６０のパワーを制御する。
また、前記制御部９０は、エンジン１０と、第１モータ／ゼネレータ２０及び第２モータ／ゼネレータ３０のトルクを制御するＴＣＵ（Ｔｏｒｑｕｅ  Ｃｏｎｔｒｏｌ  Ｕｎｉｔ）であってもよい。
【００４２】
次の式は、本発明の実施形態による動力伝達装置１の定常状態における速度、トルク、パワーなどの関係を示す関係式である。ここで、システムの定常状態とは、様々な物理的な状態量が時間の経過にも変化しない状態をいい、時間に対する変化率が「０」であることを意味する。
【数１】
0006010365.tif 000002
【００４３】
ここで、ωｅはエンジン１０の角速度であり、ωｍ１は第１モータ／ジェネレータ２０の角速度であり、ωｍ２は、第２モータ／ジェネレータ３０の角速度または車両の速度である。
【００４４】
τｅはエンジン１０のトルクであり、τｍ１は第１モータ／ジェネレータ２０のトルクであり、τｍ２は第２モータ／ジェネレータ３０のトルクであり、τｄｅｍは要求トルクである。
【００４５】
ηｍ１は  第１モータ／ジェネレータ２０の効率であり、ηｍ２は第２モータ／ジェネレータ３０の効率である。
【００４６】
Ｒは、サンギヤに対するリングギヤのギヤ比である。
【００４７】
Ｐｂａｔはバッテリー６０のパワーである。
【００４８】
前記定常状態関係式は８個の変数のうち値が与えられる二つの変数から構成された４個の方程式である。このため、前記定常状態関係式は、２自由度（２  ｄｅｇｒｅｅ  ｏｆ  ｆｒｅｅｄｏｍ）を有する方程式である。ここで、自由度は、与えられた条件下で変化する変数をいう。また、前記値が与えられる二つの変数は、例えば、要求トルク（τｄｅｍ）と車速（ωｍ２）であってもよい。
【００４９】
一方、前記値が与えられる二つの変数を除く６個の変数のうち２つの変数を設計変数として指定し、走行条件別に最適化過程を経てマップに貯蔵する。ここで、前記設計変数として指定される２つの変数は、例えば、エンジンの速度（ωｅ）とバッテリーパワー（Ｐｂａｔ）あるいはエンジンの速度（ωｅ）とエンジントルク（τｅ）などに設定可能である。
【００５０】
前記２自由度を活用すると、効率よい運転点を選択することができる。
【００５１】
ところが、前記８個の変数は動力伝達装置１の作動環境によって異なってくる。このため、前記マップはそれぞれの作動環境に合わせて作成されなければならない。
【００５２】
例えば、前記エンジン１０が大気温の変化などによってエンジントルクが減少すると、適切な運転点の補正が必要である。しかしながら、例えば、第２モータ／ゼネレータ３０のトルク補償がなければ、駆動力が不足したり、バッテリー６０の過放電／過充電が発生したりする虞がある。なお、第２モータ／ゼネレータ３０のトルク補償が適切ではなければ、バッテリー６０の過放電が発生する虞がある。
【００５３】
さらに、例えば、第１モータ／ゼネレータ２０のトルクが減少すると、エンジントルクに対する反力が形成できなくなって、エンジン速度が増加し過ぎる虞があり、エンジントルクが減少すると、バッテリー６０の過充電／過放電が発生する虞がある。
例えば、第２モータ／ゼネレータ３０のトルクが減少すると、ＰＥ（ｐｏｗｅｒ  ｅｌｅｃｔｒｏｎｉｃｓ；電気系部品；バッテリー、インバータなど）のパワーの不釣り合いが発生してバッテリー６０の過充電／過放電が発生する虞があり、第２モータ／ゼネレータ３０の逆トルクが発生して駆動力が過多になる虞がある。
【００５４】
これらの駆動源のトルク制限に対応して、システムを安定的に制御できる目標トルクの補正が必要であり、特に、駆動力過多、エンジン速度の過度な増加、バッテリーの充電／放電傾向の逆転を回避する必要がある。
【００５５】
上述した運転点の最適化過程に適用されたそれぞれの変数は走行中に変化することがあるため、システムを安定的に制御できる各トルクの適切な補正が必要である。
【００５６】
一方、従来には、３つの動力源１０、２０、３０に対する最適化をそれぞれ別々に行い、動力伝達装置１の作動環境に応じてそれぞれの動力源の最適化値をｍａｐから得ることを余儀なくされていた。
【００５７】
各動力源の最適化過程においては、システム効率を最大化できる、または、燃料消耗率を最小化できる運転点を決定する。最適な運転点は、各動力源の最大／最小トルク、各動力源の最大／最小速度、バッテリーのパワー制限値内で最適な運転点を選定する。
【００５８】
しかしながら、最適化過程を車両制御器において行うことができず、各走行条件別に最適化値をマップの形で貯蔵して制御を行う。
【００５９】
しかるに、従来には、制御部のメモリが過多になり、ｍａｐの情報が不足する場合に、システムに過負荷が発生する懸念があった。
【００６０】
図２は、本発明の実施形態によるハイブリッド自動車のトルク制御方法のフローチャートである。
【００６１】
本発明の実施形態によるハイブリッド自動車のトルク制御方法は、図１のハイブリッドシステムを参照して説明するが、これに限定されるものではなく、異なる２以上の動力源を用いるハイブリッド車両のトルク制御に適用可能であるということはいうまでもない。
【００６２】
図２に示すように、前記動力源１０、２０、３０のトルク制御が開始すると、前記エンジンの運転点における最適トルク（ｏｐｔｉｍａｌ  ｔｏｒｑｕｅ）及び定常状態における最大トルク（Ｍａｘ．ｔｏｑｕｅ）、並びに、前記モータ／ゼネレータ２０、３０の運転点における最適トルク及び定常状態における最大トルクが前記制御部９０に入力される（Ｓ１１０）。
【００６３】
次いで、前記制御部９０は、入力された前記最適トルク及び前記最大トルクを用いて、各動力源１０、２０、３０の低減トルク比率を計算し（Ｓ１２０）、前記低減トルク比率が最も小さな動力源の前記低減トルク比率を導き出す（Ｓ１３０）。
前記低減トルク比率は、運転点における最適トルク及び定常状態における最大トルクのうち小さな値を導き出して、これを運転点における最適トルクで除した値であってもよい。
【００６４】
前記低減トルク比率が最も小さな動力源は、トルクの低減量が最も大きな動力源となる。さらに、前記低減トルク比率が最も小さな動力源の前記低減トルク比率を低減ファクターとする。
【００６５】
一方、前記ステップＳ１２０及び前記ステップＳ１３０においては、前記最適トルクの絶対値に基づいて演算が行われてもよい。
【００６６】
前記ステップＳ１２０において、前記各動力源１０、２０、３０の前記低減トルク比率を求める式は、次の通りである。
【数２】
0006010365.tif 000003
【００６７】
また、前記ステップ１３０において、前記低減ファクターを求める式は、次の通りである。
【数３】
0006010365.tif 000004
【００６８】
ここで、ｍｉｎは、（  ）内の値のうち小さな値を結果値として導き出す演算をいう。
【００６９】
次いで、前記制御部９０は、前記低減トルク比率が最も小さな動力源の低減トルク比率（Ｒｒｅｄｕｃｔｉｏｎ）に前記全ての動力源１０、２０、３０の前記最適トルクを掛けて目標トルク（ｔａｒｇｅｔ  ｔｏｒｑｕｅ）を計算する（Ｓ１４０）。すなわち、それぞれの最適トルクにＲｒｅｄｕｃｔｉｏｎを適用して新たな前記目標トルクを求める。
【００７０】
前記ステップＳ１４０を式で表すと、次の通りである。
【数４】
0006010365.tif 000005
【００７１】
次いで、制御部９０は、エンジン１０と、第１モータ／ゼネレータ２０及び第２モータ／ゼネレータ３０の前記目標トルクを応じて、前記エンジン１０、第１モータ／ゼネレータ２０及び第２モータ／ゼネレータ３０のトルクを制御する（Ｓ１５０）。
【００７２】
前記制御部９０は、入力された低減トルク比率（Ｒｒｅｄｕｃｔｉｏｎ）に関する情報を用いて、上記のようにバッテリー６０を制御する。このようにバッテリー６０のパワーを減少する過程を式で表すと、次の通りである。
【数５】
0006010365.tif 000006
【００７３】
上述したように、本発明の実施形態によれば、一つの低減トルク比率により全ての動力源のトルクを低減させることにより、モータ／ゼネレータ及びエンジンのトルク制御を単純化することができる。このため、制御部に貯蔵するマップデータを低減することができて制御の遅延現象を防ぐことができ、過度なデータの利用による誤作動を防ぐことができる。
【００７４】
各動力源のトルクを定常状態の最大トルク以下に制御して各動力源の過負荷、または、バッテリーの過充電／過放電を防ぐことができる。
【００７５】
また、運転点の変化などによる駆動力の過度な増加を防ぐことができ、エンジン速度の過度な増加を防ぐことができる。
【００７６】
さらに、前記低減トルク比率によってバッテリーを制御することから、充／放電傾向が逆転する現象を防ぐことができる。
【００７７】
以上、本発明に関する好適な実施形態について説明したが、本発明は前記実施形態に何ら限定されるものではなく、本発明の実施形態から当該発明が属する技術分野の当業者により技術的範囲内において容易に変更され得る。
【産業上の利用可能性】
【００７８】
本発明は、ハイブリッド自動車のモータ／ゼネレータ及びエンジンのトルク制御の分野に適用できる。
【符号の説明】
【００７９】
１０：エンジン
２０：第１モータ／ゼネレータ
３０：第２モータ／ゼネレータ
４０：遊星ギヤセット
５０：ホイール
６０：バッテリー
７０：インバータ
８０：減速ギヤ
９０：制御部
【図１】
0006010365.tif 000007
【図２】
0006010365.tif 000008